(57)【特許請求の範囲】
【請求項１】
光ピックアップを搭載したキャリッジと、モータを駆動源として正逆両方向へ回転するスクリューシャフトと、このスクリューシャフトの回転に伴って該スクリューシャフトのスラスト方向へ往復移動するナット部材と、このナット部材を前記キャリッジに弾性的に押圧するばね部材とを備えた光ピックアップの移送機構において、
前記ナット部材が前記スクリューシャフトのおねじに噛合する略円筒状のめねじを有し、このナット部材を前記ばね部材によって前記スクリューシャフトのラジアル方向とスラスト方向の両方へ弾性付勢してあるとともに、
前記ばね部材に前記ナット部材に係合する連結部と前記スクリューシャフトのおねじに噛合する係合突起とを形成し、これら連結部と係合突起との間で前記ナット部材を前記スクリューシャフトのスラスト方向へ弾性付勢するようにしたことを特徴とする光ピックアップの移送機構。
【請求項２】
請求項１の記載において、前記ばね部材に前記キャリッジ側を固定端として前記スクリューシャフトの方向へ延びる第１の弾性腕と、この第１の弾性腕から前記スクリューシャフトのスラスト方向へ延びる第２の弾性腕とを形成し、前記第１の弾性腕の自由端側に前記連結部を形成すると共に、前記第２の弾性腕の自由端側に前記係合突起を形成したことを特徴とする光ピックアップの移送機構。
【発明の詳細な説明】
【０００１】
【発明の属する技術分野】
本発明は、キャリッジに搭載された光ピックアップをディスクの径方向へ移送するための移送機構に係り、特に、小型化に好適な光ピックアップの移送機構に関する。
【０００２】
【従来の技術】
光ピックアップを用いてＣＤ（コンパクトディスク）やＭＤ（ミニディスク）等のディスクに対して情報を記録および／または再生する場合、該光ピックアップをディスクの径方向へ移送する必要があり、従来より、かかる光ピックアップの移送機構として図６に示すものが知られている。
【０００３】
図６において、符号１は対物レンズ２を含む光ピックアップを搭載したキャリッジであり、このキャリッジ１はガイドシャフト３とスクリューシャフト４との間に配置されている。これらガイドシャフト３とスクリューシャフト４は互いに平行に対向設置されており、スクリューシャフト４は図示省略したスレッドモータによって正逆両方向へ回転駆動されるようになっている。キャリッジ１の両側面には受部１ａ，１ｂが突設されており、一方の受部１ａはガイドシャフト３の周面に当接し、他方の受部１ｂはスクリューシャフト４に挿通されている。また、キャリッジ１には板ばね５がねじ止めされており、この板ばね５はスクリューシャフト４の軸線に対して直交する方向へ延びている。板ばね５の先端には合成樹脂からなる断面Ｕ字状のハーフナット６が取り付けられており、このハーフナット６の半円筒状の内周面に刻設されためねじは板ばね５の弾性によってスクリューシャフト４のおねじに圧接されている。
【０００４】
このように概略構成された光ピックアップの移送機構において、スレッドモータを駆動源としてスクリューシャフト４が正逆いずれかの方向へ回転すると、この回転力がハーフナット６で直線運動に変換されてキャリッジ１に伝達されるため、板ばね５を介してハーフナット６を支持するキャリッジ１がガイドシャフト３とスクリューシャフト４の軸線方向に沿って移動する。これにより、キャリッジ１に搭載された光ピックアップが図示せぬディスクの径方向（内周または外周）へ移送され、ディスクに対する情報の記録および／または再生動作が行われる。
【０００５】
【発明が解決しようとする課題】
前述した従来技術では、ハーフナット６の半円筒状の内周面に刻設されためねじを板ばね５の弾性力でスクリューシャフト４のおねじに圧接することにより、スクリューシャフト４の回転力がハーフナット６で直線運動に変換されてキャリッジ１に伝達されるように構成されているため、板ばね５の弾性力をある程度以上に大きく設定してスクリューシャフト４とハーフナット６との噛合を確保しな，ければならず、スクリューシャフト４の駆動源であるスレッドモータにも比較的大きなトルクが要求されている。
【０００６】
ところで、近年、車載用あるいは携帯用ＣＤプレーヤやＭＤプレーヤは小型化される傾向にあり、それに伴って光ピックアップの移送機構に用いられるスレッドモータやスクリューシャフトにも小型化が要望されている。しかしながら、このようにスレッドモータやスクリューシャフトの小型化が促進されていくと、スレッドモータのトルクが低下するため、ハーフナットをスクリューシャフトに圧接する板ばねの弾性力を小さく設定しなければならず、しかも、スクリューシャフトの直径が細くなるため、その外周面に刻設されるおねじの外径と谷径の差が小さくなり、必然的にハーフナットのめねじの内径と谷径の差も小さくなる。このような理由から前述した従来技術では、光ピックアップの移送機構が小型化された場合、外部振動によってハーフナットのめねじがスクリューシャフトのおねじを乗り越えてしまったり、ハーフナットとスクリューシャフトのねじ同士の間に必要とされるバックラッシュにより、ハーフナットがスクリューシャフトのスラスト方向へガタツキやすくなり、これらが音飛びの原因になるという問題があった。
【０００７】
【課題を解決するための手段】
本発明は、内周面に略円筒状のめねじを有するナット部材をスクリューシャフトに螺合し、このナット部材を前記ばね部材によってスクリューシャフトのラジアル方向とスラスト方向の両方へ弾性付勢してあり、ナット部材に係合する連結部とスクリューシャフトのおねじに噛合する係合突起とを形成し、これら連結部と係合突起との間でナット部材をスクリューシャフトのスラスト方向へ弾性付勢することとする。このように構成すると、スクリューシャフトのラジアル方向への付勢力を小さく設定しても、ナット部材のめねじがスクリューシャフトのおねじを乗り越えることはなくなり、しかも、ナット部材をスクリューシャフトのスラスト方向へ付勢することにより、バックラッシュに起因するナット部材のスラストガタが除去され、外部振動によって音飛びが発生することを防止できる。
【０００８】
【発明の実施の形態】
本発明では、光ピックアップを搭載したキャリッジと、モータを駆動源として正逆両方向へ回転するスクリューシャフトと、このスクリューシャフトの回転に伴って該スクリューシャフトのスラスト方向へ往復移動するナット部材と、このナット部材を前記キャリッジに弾性的に押圧するばね部材とを備えた光ピックアップの移送機構において、前記ナット部材が前記スクリューシャフトのおねじに噛合する略円筒状のめねじを有し、このナット部材を前記ばね部材によって前記スクリューシャフトのラジアル方向とスラスト方向の両方へ弾性付勢してあるとともに、前記ばね部材に前記ナット部材に係合する連結部と前記スクリューシャフトのおねじに噛合する係合突起とを形成し、これら連結部と係合突起との間で前記ナット部材を前記スクリューシャフトのスラスト方向へ弾性付勢するようにした。
【０００９】
このように構成すると、ナット部材をスクリューシャフトに圧接するばね部材のラジアル方向への付勢力を小さく設定しても、ナット部材のめねじがスクリューシャフトのおねじを乗り越えることはないため、光ピックアップの移送機構を小型化するのに有効となり、しかも、連結部と係合突起との間でナット部材をスクリューシャフトのスラスト方向へ弾性付勢するようにしたため、ナット部材に対して簡単な構成で確実に側圧を付与することができてバックラッシュに起因するナット部材のスラストガタが除去され、外部振動によって音飛びが発生することを防止できる。
【００１１】
この場合において、ばね部材にキャリッジ側を固定端としてスクリューシャフトの方向へ延びる第１の弾性腕と、この第１の弾性腕からスクリューシャフトのスラスト方向へ延びる第２の弾性腕とを形成し、第１の弾性腕の自由端側に連結部を形成すると共に、第２の弾性腕の自由端側に係合突起を形成することが好ましく、このように構成すると、第１および第２の弾性腕のばねスパンが長くなるため、ナット部材をスクリューシャフトのラジアル方向とスラスト方向へ付勢する弾性力のばらつきを低減することができる。
【００１２】
【実施例】
実施例について図面を参照して説明すると、図１は実施例に係る光ピックアップの移送機構を表面側から見た平面図、図２は該移送機構の底面図、図３は該移送機構の側面図、図４は該移送機構の斜視図、図５は該移送機構に備えられるナット部材と板ばねの分解斜視図である。
【００１３】
これらの図において、符号１０は対物レンズ１１および図示しない発光素子や受光素子等からなる光ピックアップを搭載したキャリッジであり、このキャリッジ１０はガイドシャフト１２とスクリューシャフト１３の軸線方向（スラスト方向）に沿って往復移動する。ガイドシャフト１２とスクリューシャフト１３は互いに平行に対向設置されており、スクリューシャフト１３は図示せぬスレッドモータを駆動源として正逆両方向へ回転する。また、キャリッジ１０の移動方向内周側にはスピンドルモータ１４が設置されており、このスピンドルモータ１４の回転軸にはターンテーブル１５が固着されている。ＣＤやＭＤ等の図示せぬディスクはこのターンテーブル１５にセンタリングされて回転駆動され、このディスクに対して光ピックアップにより情報の記録および／または再生動作が行われる。
【００１４】
キャリッジ１０の両端面には１つの受部１０ａと２つの受部１０ｂが突設されており、一方の受部１０ａはガイドシャフト１２の周面に当接し、他方の両受部１０ｂはスクリューシャフト１３に挿通されている。このスクリューシャフト１３には合成樹脂製のナット部材１６が螺入されており、図５に示すように、このナット部材１６にはスクリューシャフト１３のおねじ１３ａに噛合する完全円筒形状のめねじ１６ａが刻設されている。また、ナット部材１６の一側面には係合突起１６ｂと円弧状突起１６ｃが一体成形されており、ナット部材１６の他側面はキャリッジ１０の一方の受部１０ｂに当接している。
【００１５】
キャリッジ１０の裏面にはステンレス等のばね性に富む金属薄板からなる板ばね（ばね部材）１７が固定されており、この板ばね１７は取付け部１７ａと第１の弾性腕１７ｂおよび第２の弾性腕１７ｃを有している。取付け部１７ａには２つの位置決め孔１７ｄと１つの円孔１７ｅが穿設されており、両位置決め孔１７ｄをキャリッジ１０に突設したピン１０ｃに挿入した状態で止めねじ１８を円孔１７ｅ内に挿通させてキャリッジ１０のねじ孔に螺入することにより、板ばね１７の取付け部１７ａはキャリッジ１０に位置精度良く固定されている。第１の弾性腕１７ｂは取付け部１７ａを固定端としてスクリューシャフト１３と直交する方向へ片持ち梁状に延びており、その自由端側がナット部材１６の周面に弾接することにより、ナット部材１６をスクリューシャフト１３のラジアル方向（図３の矢印Ａ方向）へ弾性付勢している。また、第１の弾性腕１７ｂの側端面には一対の連結片１７ｆが直角に折り曲げ形成されており、これら連結片１７ｆは係合突起１６ｂの両側を通ってナット部材１６の一側面に対面している。この連結片１７ｆの先端にはそれぞれナット部材１６側に向かって折曲形成された連結爪（連結部）１７ｈが設けられており、これら連結爪１７ｈの先端がナット部材１６に弾接しており、ナット部材１６をスクリューシャフト１３のスラスト方向（図１，２の矢印Ｂ方向）へ弾性付勢すると共に、キャリッジ１０の受部１０ｂに押圧している。第２の弾性腕１７ｃは第１の弾性腕１７ｂの自由端側からスクリューシャフト１３のスラスト方向へ平行に延びており、その先端にはＶ字状の係合突起１７ｇが折り曲げ形成されている。この係合突起１７ｇは第２の弾性腕１７ｃからの弾発力を受けてスクリューシャフト１３のおねじ１３ａに噛合している。この係合突起１７ｇと上記連結爪１７ｈの先端との間隔は、図４に示す組立状態において連結片１７ｆがナット部材１６から離れる方向に若干撓んだ状態となるようにその寸法が設定されている。よって、前述した両連結爪１７ｈからナット部材１６に対して矢印Ｂ方向へ安定した側圧が掛けられるようになっている。なお、ナット部材１６の係合突起１６ｂは板ばね１７の連結片１７ｆ，１７ｆの間に位置しているので、スクリューシャフト１３が回転した際にナット部材１６が共回りするのが防止され、スクリューシャフト１３の回転力を確実に直線運動に変換することができる。
【００１６】
このように概略構成された光ピックアップの移送機構において、スクリューシャフト１３が図示省略したスレッドモータを駆動源として正逆いずれかの方向へ回転すると、その回転力がナット部材１６で直線運動に変換され、ナット部材１６と板ばね１７およびキャリッジ１０の三者がガイドシャフト１２とスクリューシャフト１３の軸線方向に沿って往復移動する。これにより、キャリッジ１０に搭載された光ピックアップが図示せぬディスクの径方向へ移送され、ディスクに対する情報の記録および／または再生動作が行われる。その際、スクリューシャフト１３のおねじ１３ａに噛合するナット部材１６のめねじ１６ａは完全円筒形状となっており、おねじ１３ａとめねじ１６ａとの噛合が外れる虞がないため、ナット部材１６をラジアル方向へ付勢する板ばね１７の圧接力を小さくすることができ、スレッドモータの低トルク化やスクリューシャフト１３の細径化に対応することが可能となる。なお、ナット部材１６のめねじ１６ａは完全な円筒形状に限られることはなく、スクリューシャフト１３のおねじ１３ａとの噛合が外れることがないような１８０°を越える円弧形状であれば良い。また、板ばね１７の係合突起１７ｇと連結爪１７ｈとの間でナット部材１６をスクリューシャフト１３のスラスト方向へ弾性付勢しており、しかも、この係合突起１７ｇはスクリューシャフト１３のおねじ１３ａに噛合しているため、ナット部材１６にスラスト方向への側圧が安定的に掛けられてスラストガタを除去することができ、外部振動に起因する音飛びの発生を確実に防止することができる。さらに、板ばね１７の第１の弾性腕１７ｂを取付け部１７ａから片持ち梁状に延出させると共に、第２の弾性腕１７ｃを該第１の弾性腕１７ｂからスクリューシャフト１３の軸線方向に沿って延出させているため、スペースを犠牲にすることなく板ばね１７のばねスパンが長くなり、ナット部材１６をスクリューシャフト１３のラジアル方向とスラスト方向へ付勢する圧接力のばらつきを抑制することができる。
【００１７】
【発明の効果】
本発明は、以上説明したような形態で実施され、以下に記載されるような効果を奏する。
【００１８】
内周面に略円筒状のめねじを有するナット部材をスクリューシャフトに螺合し、このナット部材をキャリッジに弾性的に押圧するばね部材によってスクリューシャフトのラジアル方向とスラスト方向の両方へ弾性付勢してあるとともに、前記ばね部材に前記ナット部材に係合する連結部と前記スクリューシャフトのおねじに噛合する係合突起とを形成し、これら連結部と係合突起との間で前記ナット部材を前記スクリューシャフトのスラスト方向へ弾性付勢するようにしたため、ナット部材をスクリューシャフトに圧接させるばね部材のラジアル方向への付勢力を小さく設定しても、ナット部材のめねじがスクリューシャフトのおねじを乗り越えることはないので、光ピックアップの移送機構を小型化するのに有効となり、しかも、連結部と係合突起との間でナット部材をスクリューシャフトのスラスト方向へ弾性付勢するようにしたため、ナット部材に対して簡単な構成で確実に側圧を付与することができてバックラッシュに起因するナット部材のスラストガタが除去され、外部振動によって音飛びが発生することを防止できる。
【図面の簡単な説明】
【図１】実施例に係る光ピックアップの移送機構を表面側から見た平面図である。
【図２】該移送機構の底面図である。
【図３】該移送機構の側面図である。
【図４】該移送機構の斜視図である。
【図５】該移送機構に備えられるナット部材と板ばねの分解斜視図である。
【図６】従来例に係る光ピックアップの移送機構を示す構成図である。
【符号の説明】
１０  キャリッジ
１１  対物レンズ
１２  ガイドシャフト
１３  スクリューシャフト
１３ａ  おねじ
１６  ナット部材
１６ａ  めねじ
１６ｂ  係合突起
１７  板ばね
１７ａ  取付け部
１７ｂ  第１の弾性腕
１７ｃ  第２の弾性腕
１７ｆ  連結片
１７ｈ  連結爪
１７ｇ  係合突起
【図１】
0003888506.tif 000002
【図２】
0003888506.tif 000003
【図３】
0003888506.tif 000004
【図４】
0003888506.tif 000005
【図５】
0003888506.tif 000006
【図６】
0003888506.tif 000007